(57)【特許請求の範囲】
【請求項１】
槽体（Ｂ）の底面に備えた排水口（１）と、該排水口（１）を開閉する弁体（３）と、弁体（３）の開閉動作を遠隔操作的に操作する、槽体の近傍に備えられた操作部と、該排水口（１）からの排水を下水側に排出する排出口（２０）と、操作部と連結する接続部（２）を備えた排出部材と、操作部と接続部（２）とを連通可能に接続する、中空のチューブ部材（４）と、チューブ部材（４）内及び接続部（２）を挿通して、操作部の操作を弁体（３）に伝達し排水口（１）の開閉を行う、中空の筒状体であるアウターチューブ（５ａ）、該アウターチューブ（５ａ）内を摺動自在に進退動作するインナーワイヤ（５ｂ）、を備えたレリースワイヤ（５）と、操作部から流入した排水が、チューブ部材（４）を介して排出部材内に排出されることを妨げず、且つ排水口（１）からチューブ部材（４）に流入する排水量及び／又は水勢を制限することによって、チューブ部材（４）内のアウターチューブ（５ａ）と槽体（Ｂ）からの排水との接触量を減少させ、熱伸縮を生じることを防止する、熱伸縮防止機構を備えたことを特徴とする遠隔操作式排水栓装置。
【請求項２】
上記熱伸縮防止機構が、接続部（２）又はその近傍に配置される、レリースワイヤを挿通する挿通孔（７）を備え、またチューブ部材（４）側から排水部材への排水には開口し、逆方向への排水に対して閉口する逆流防止弁（８）を備えた逆流防止弁部材（６）であり、前記挿通孔（７）が逆流防止弁（８）の上方に設けられていることを特徴とする上記請求項１に記載の遠隔操作式排水栓装置。
【請求項３】
上記熱伸縮防止機構が、接続部（２）又はその近傍に配置される、レリースワイヤを挿通する挿通孔（７）を備え、またチューブ部材（４）内と排水部材内との間の排水の流れを減勢し、進入する排水量を減少させるように規制する通水部（１０）を備えた規制部材（９）であることを特徴とする上記請求項１に記載の遠隔操作式排水栓装置。
【請求項４】
上記規制部材（９）が、軟質部材から成り、挿通孔（７）及び通水部（１０）を兼ねた、菊割状に切溝を設けた菊割部（１１）を備えてなることを特徴とする上記請求項３に記載の遠隔操作式排水栓装置。
【発明の詳細な説明】
【０００１】
【発明の属する技術分野】
本発明は、浴槽や洗面台などの槽体の底面に開口された排水口を、遠隔操作により開閉するための遠隔操作式排水栓装置に関するものである。
【０００２】
【従来の技術】
従来より、浴槽や洗面台などの槽体の底面に開口された排水口の開閉を、槽体の開口周縁など排水口から離れた場所に備えた操作部に操作を加えることで行う遠隔操作式排水栓装置がよく知られている。
従来よく知られた遠隔操作式排水栓装置としては、図１３乃至図１５に示したようなものがある。以下に図１３乃至図１５に示した従来例の遠隔操作式排水栓装置を、図面を参照しつつ説明する。
図１３乃至図１５に図示した従来例の遠隔操作式排水栓装置は、以下に記載した排水栓、弁体、排出部材としての排水エルボ、レリースワイヤ、操作部としての操作スイッチ、操作スイッチと排水エルボの間に配置されるチューブ部材、等の各部材より構成されて成る。
排水栓は、内部に排水口を形成する略円筒形状であって、その上縁外周側にフランジ部を設けてなる。また排水口内には、後述する弁体の弁軸を収納すると共に、レリースワイヤのアウターチューブ端部を接続して、弁軸下端位置にロッド部を配置させる軸受部材を着脱自在に収納してなる。
弁体は、上記排水口を開閉する弁部と、該弁部の中心より下方に向けて垂下された弁軸より成る。
排水エルボは排水栓との接続を行う開口部と、排水管等に接続されて排水を下水側に排出する排出口と、後述するレリースワイヤを挿通するための接続部より成る。
レリースワイヤは、可撓性を備えた中空のアウターチューブと、該アウターチューブ内を軸方向に摺動自在に進退するインナーワイヤと、インナーワイヤの一端に備えられ、上記弁体の弁軸下方に配置されるロッド部と、後述する操作スイッチ側にインナーワイヤを付勢する戻りスプリングを備えてなり、遠隔操作式排水栓装置の施工完了時には、レリースワイヤのロッド部が弁体の弁軸下端に当接し、インナーワイヤの進退に対応して軸部下端を押し上げ／下げするように配置される。
操作スイッチは、上記レリースワイヤに接続され、上記レリースワイヤのインナーワイヤの進退を操作することで排水口の開閉操作を行うものであり、浴槽の開口周縁などに取り付けられるケーシング部と、レリースワイヤを接続し、インナーワイヤの進退動作を制御する、ケーシング部内に収納されるスラストロック部とから成る。
チューブ部材は、レリースワイヤをケーシング部から排水エルボに案内するガイドの役割を果たす、筒状の、軟質塩ビなど可撓性を備えた軟質樹脂からなる部材であって、その端部の一方は操作スイッチのケーシング部に、他方は排水エルボの接続部に、排水が遠隔操作式排水栓装置外に漏れることがないよう水密的に接続される。
【０００３】
上記のように構成した遠隔操作式排水栓装置は、以下のようにして浴槽等に設けられた取着孔に取着される。
まず槽体の底面に設けられた取着孔に排水栓の円筒部分を挿通し、更に排水エルボの開口部に接続して、取着孔の周縁をフランジ部下面と接続部上面とで挟持させて排水栓及び排水エルボを取着孔に取着固定する。
次に操作スイッチのケーシング部を槽体の開口周縁に取り付け、更にチューブ部材の両端部に、ケーシング部と排水エルボを、それぞれ水密的に接続する。
更に操作スイッチのスラストロック部にレリースワイヤを接続してから、レリースワイヤのロッド部をケーシング部とチューブ部材内を挿通して、排水栓内にレリースワイヤのロッド部を引き出す。
その後、軸受部材にレリースワイヤのアウターチューブ端部を接続したうえで排水口に収納し、更に弁体の弁軸を軸受部材に収納することで、ロッド部が弁軸下方位置に配置され、遠隔操作式排水栓装置の取り付けが完了する。
【０００４】
上記のように構成した遠隔操作式排水栓装置を使用する場合、まず操作スイッチに操作を加えて、図１３にあるように弁体が排水口を閉口した状態とする。この状態より操作スイッチに操作を加えて、スラストロック部の後端に押し込み操作を加えると、スラストロック部を介して、インナーワイヤが排水栓側に突出した状態で固定される。これによって、弁軸下端が押し上げられ、弁体が上昇し、排水口が開口する。
この状態より再度操作スイッチに操作を加えて、スラストロック部の後端に押し込み操作を加えると、スラストロック部の軸部の固定が解除され、インナーワイヤが操作スイッチ側に後退する為、弁体が下降し、排水口が弁部により閉口される。
以後、同様の操作を繰り返すことで排水口の開口／閉口を自在に操作することができる。
【０００５】
また、遠隔操作式排水栓装置のレリースワイヤ等に異常が生じた場合、まずレリースワイヤの先端と、排水エルボとの固定を解除し、更にレリースワイヤごとスラストロック部をケーシング部から引き抜くことでレリースワイヤを取り出すことができ、またレリースワイヤを修理／交換した上で、再びレリースワイヤの先端部をケーシング部とチューブ部材内を挿通して排水栓内に固定配置し、弁体を配置することで、容易に遠隔操作式排水栓装置を修理することができる。
このように、槽体の表面からの作業のみで遠隔操作式排水栓装置の修理が可能であることは、例えば浴槽のように施工完了後は槽体の裏面から手を加えることがほとんどできない槽体に用いるのに好適である。
【０００６】
また、遠隔操作式排水栓装置の操作部は可動部分を含むため、完全な水密性を保つことが難しく、槽体内の水が操作スイッチ、即ち操作部に触れると、操作部の可動部分から、少しづつではあるが槽体の裏面側に漏水を生じる場合があるが、上記構造の遠隔操作式排水栓装置であれば、可動部分であるスラストロック部、又はその近傍に触れた水はそのままチューブ部材内を通って排水エルボ内、即ち排出部材に排出されるため、槽体の裏面側への漏水を防ぐことができるという長所も備えていた。
【０００７】
【発明が解決しようとする課題】
上記のような遠隔操作式排水栓装置において、槽体から大量の排水が行われると、排水は排出口から排出される以外に、一部の排水はチューブ部材内に逆流を生じ、レリースワイヤのアウターチューブが排水に浸ることになる。
このとき、排水の温度が室温などに比べてある程度高温又は低温であると、アウターチューブは温度変化によって伸縮する。他方、アウターチューブ内に収納されており、あまり熱の影響を受けないインナーワイヤは殆ど伸縮しない。レリースワイヤの周囲に室温と異なる温度の排水が流れ込むと、このレリースワイヤのアウターチューブとインナーワイヤの全長の変化によって、インナーワイヤの先端とアウターチューブの先端との長さ距離（以後「ストローク長さ」と呼ぶ）が変化する。具体的には、アウターチューブが冷やされて収縮し、その全長が短くなると、ストローク長さは長くなり、その分弁体は必要以上に大きく上昇して、弁体が排水栓からとび出したり、排水口を完全に閉口できなくなる場合が生じる。また、アウターチューブが暖められて膨張し、その全長が長くなると、ストローク長さは短くなり、その分弁体は上昇しにくくなって、操作部に操作を加えても弁体が動作しない、またはわずかにしか動作せず、排水性能が著しく悪化する場合が生じる。特に浴槽や洗面台などに用いられる遠隔操作式排水栓装置は、排水が熱水である場合が多いため、このアウターチューブの熱膨張による問題が頻繁に生じる。
本発明は上記問題点に鑑み考案されたもので、チューブ部材を採用した遠隔操作式排水栓装置において、排水の温度によってアウターチューブに熱膨張または熱収縮（以後この熱膨張または熱収縮を簡略化のため、「熱伸縮」と呼ぶ）が生じることのない遠隔操作式排水栓装置を提供するものである。
【０００８】
【課題を解決するための手段】
請求項１に記載の遠隔操作式排水栓装置は、槽体（Ｂ）の底面に備えた排水口（１）と、該排水口（１）を開閉する弁体（３）と、弁体（３）の開閉動作を遠隔操作的に操作する、槽体の近傍に備えられた操作部と、該排水口（１）からの排水を下水側に排出する排出口（２０）と、操作部と連結する接続部（２）を備えた排出部材と、操作部と接続部（２）とを連通可能に接続する、中空のチューブ部材（４）と、チューブ部材（４）内及び接続部（２）を挿通して、操作部の操作を弁体（３）に伝達し排水口（１）の開閉を行う、中空の筒状体であるアウターチューブ（５ａ）、該アウターチューブ（５ａ）内を摺動自在に進退動作するインナーワイヤ（５ｂ）、を備えたレリースワイヤ（５）と、操作部から流入した排水が、チューブ部材（４）を介して排出部材内に排出されることを妨げず、且つ排水口（１）からチューブ部材（４）に流入する排水量及び／又は水勢を制限することによって、チューブ部材（４）内のアウターチューブ（５ａ）と槽体（Ｂ）からの排水との接触量を減少させ、熱伸縮を生じることを防止する、熱伸縮防止機構を備えたことを特徴とする遠隔操作式排水栓装置である。
【０００９】
請求項２に記載の遠隔操作式排水栓装置は、上記熱伸縮防止機構が、接続部（２）又はその近傍に配置される、レリースワイヤを挿通する挿通孔（７）を備え、またチューブ部材（４）側から排水部材への排水には開口し、逆方向への排水に対して閉口する逆流防止弁（８）を備えた逆流防止弁部材（６）であり、前記挿通孔（７）が逆流防止弁（８）の上方に設けられていることを特徴とする上記段落０００８に記載の遠隔操作式排水栓装置である。
【００１０】
請求項３に記載の遠隔操作式排水栓装置は、上記熱伸縮防止機構が、接続部（２）又はその近傍に配置される、レリースワイヤを挿通する挿通孔（７）を備え、またチューブ部材（４）内と排水部材内との間の排水の流れを減勢し、進入する排水量を減少させるように規制する通水部（１０）を備えた規制部材（９）であることを特徴とする上記段落０００８に記載の遠隔操作式排水栓装置である。
【００１１】
請求項４に記載の遠隔操作式排水栓装置は、上記規制部材（９）が、軟質部材から成り、挿通孔（７）及び通水部（１０）を兼ねた、菊割状に切溝を設けた菊割部（１１）を備えてなることを特徴とする上記段落００１０に記載の遠隔操作式排水栓装置である。
【００１２】
【発明の実施の形態】
本発明の実施例を、図面を参照しつつ説明する。
図１乃至図２に図示した、本発明の第一実施例による遠隔操作式排水栓装置は、以下に記載した排水栓（１４）、弁体（３）、排出部材としての排水エルボ（１８）、レリースワイヤ（５）、操作部としての操作スイッチ（２１）、排水エルボ（１８）と操作スイッチ（２１）との間に配置されるチューブ部材（４）、熱伸縮防止機構としての逆流防止弁部材（６）、その他の各部材より構成されて成る。
排水栓（１４）は、内部に排水口（１）を形成する略円筒形状であって、その上縁外周側にフランジ部を設けてなる。また排水口（１）内には、後述する弁体（３）の弁軸（１７）を収納すると共に、レリースワイヤ（５）のアウターチューブ（５ａ）端部を接続して、弁軸（１７）下端位置にロッド部（５ｃ）を配置させる軸受部材（１５）を着脱自在に収納してなる。
弁体（３）は、上記排水口（１）を開閉する弁部（１６）と、該弁部（１６）の中心より下方に向けて垂下された弁軸（１７）より成る。
排水エルボ（１８）は排水栓（１４）との接続を行う開口部（１９）と、排水管等に接続されて排水を下水側に排出する排出口（２０）と、後述するレリースワイヤ（５）を挿通するための接続部（２）より成る。
レリースワイヤ（５）は、可撓性を備えた中空のアウターチューブ（５ａ）と、該アウターチューブ（５ａ）内を軸方向に摺動自在に進退するインナーワイヤ（５ｂ）と、インナーワイヤ（５ｂ）の一端に備えられ、上記弁体（３）の弁軸（１７）下方に配置されるロッド部（５ｃ）と、後述する操作スイッチ（２１）側にインナーワイヤ（５ｂ）を付勢する戻りスプリング（５ｄ）を備えてなり、遠隔操作式排水栓装置の施工完了時には、レリースワイヤ（５）のロッド部（５ｃ）が弁体の弁軸（１７）下端に当接し、インナーワイヤ（５ｂ）の進退に対応して軸部（１７）下端を押し上げ／下げするように配置される。
操作スイッチ（２１）は、上記レリースワイヤ（５）に接続され、上記レリースワイヤ（５）のインナーワイヤ（５ｂ）の進退を操作することで、排水口（１）の開閉操作を行うものであり、浴槽の開口周縁などに取り付けられるケーシング部（２２）と、レリースワイヤ（５）を接続し、インナーワイヤ（５ｂ）の進退動作を制御する、ケーシング部（２２）内に収納されるスラストロック部（２３）とから成る。
チューブ部材（４）は、レリースワイヤ（５）をケーシング部（２２）から排水エルボ（１８）に案内するガイドの役割を果たす、筒状の、軟質塩ビなど可撓性を備えた軟質樹脂からなる部材であって、その端部の一方は操作スイッチ（２１）のケーシング部（２２）に、他方は排水エルボ（１８）の接続部（２）に、排水が遠隔操作式排水栓装置外に漏れることがないよう水密的に接続される。
逆流防止弁部材（６）は、排水エルボ（１８）の接続部（２）内に備えられる部材であって、図３に示したように、チューブ部材（４）側から排水エルボ（１８）への排水には開口し、逆方向への排水に対して閉口する逆流防止弁（８）と、レリースワイヤ（５）を挿通する挿通孔（７）を備えて成る。
【００１３】
上記のように構成した遠隔操作式排水栓装置は、以下のようにして浴槽等に設けられた取着孔に取着される。
まず槽体（Ｂ）の底面に設けられた取着孔に排水栓（１４）の円筒部分を挿通し、更に排水エルボ（１８）の開口部（１９）に接続して、取着孔の周縁をフランジ部下面と開口部（１９）上面とで挟持させて排水栓（１４）及び排水エルボ（１８）を取着孔に取着固定する。
次に操作スイッチ（２１）のケーシング部（２２）を槽体（Ｂ）の開口周縁に取り付け、更にチューブ部材（４）の両端部に、操作スイッチ（２１）のケーシング部（２２）と排水エルボ（１８）の接続部（２）を、それぞれ水密的に接続する。
更に操作スイッチ（２１）のスラストロック部（２３）にレリースワイヤ（５）を接続してから、レリースワイヤ（５）のロッド部（５ｃ）をケーシング部（２２）とチューブ部材（４）内を挿通して、排水栓（１４）内にレリースワイヤ（５）のロッド部（５ｃ）を引き出す。その後、逆流防止弁部材（６）の挿通孔（７）にレリースワイヤ（５）を挿通し、逆流防止弁部材（６）を接続部（２）に取り付け、軸受部材（１５）にレリースワイヤ（５）のアウターチューブ（５ａ）端部を接続したうえで排水口（１）に収納し、更に弁体（３）の弁軸（１７）を軸受部材（１５）に収納することで、ロッド部（５ｃ）が弁軸（１７）下方位置に配置され、遠隔操作式排水栓装置の取り付けが完了する。
【００１４】
上記のように構成した遠隔操作式排水栓装置は、上記段落０００４に記載した従来例の遠隔操作式排水栓装置の操作方法と同様の操作を行うことで、排水口（１）の開口／閉口を自在に操作することができる。また、上記段落０００５に記載した従来例の遠隔操作式排水栓装置の修理手順において、逆流防止弁部材（６）の取り付け／取り外しの手順を付加することで、従来の遠隔操作式排水栓装置と同様に、槽体（Ｂ）の表面からの作業のみで遠隔操作式排水栓装置の修理が可能である。
【００１５】
また上記第一実施例においては、操作スイッチ（２１）側からチューブ部材（４）内に排水が流入した場合は逆流防止弁部材（６）の逆流防止弁（８）が開口して排水を下水側に排出し、他方槽体（Ｂ）から多量の排水があった場合には逆流防止弁（８）が閉口してチューブ部材（４）内への排水の流入を防ぐため、レリースワイヤ（５）の大部分が排水に浸らずに済む。このため、アウターチューブ（５ｂ）が排水の温度の影響を受けて熱伸縮することがほとんど無く、ストローク長さが変化することによる動作不良が生じない。
【００１６】
次に本発明の第二実施例を、図面を参照しつつ説明する。
図４乃至図５に図示した、本発明の第二実施例による遠隔操作式排水栓装置は、以下に記載した排水栓（１４）、弁体（３）、排出部材としての排水エルボ（１８）、レリースワイヤ（５）、操作部としての操作スイッチ（２１）、排水エルボ（１８）と操作スイッチ（２１）との間に配置されるチューブ部材（５）、熱伸縮防止機構としての規制部材（９）、その他の各部材より構成されて成る。
排水栓（１４）は、内部に排水口（１）を形成する略円筒形状であって、その上縁外周側にフランジ部を設けてなる。また排水口（１）内には、後述する弁体（３）の弁軸（１７）を収納すると共に、レリースワイヤ（５）のアウターチューブ（５ａ）端部を接続して、弁軸（１７）下端位置にロッド部（５ｃ）を配置させる軸受部材（１５）を着脱自在に収納してなる。
弁体（３）は、上記排水口（１）を開閉する弁部（１６）と、該弁部（１６）の中心より下方に向けて垂下された弁軸（１７）より成る。
排水エルボ（１８）は排水栓（１４）との接続を行う開口部（１９）と、排水管等に接続されて排水を下水側に排出する排出口（２０）と、後述するレリースワイヤ（５）を挿通するための接続部（２）より成る。
レリースワイヤ（５）は、可撓性を備えた中空のアウターチューブ（５ａ）と、該アウターチューブ（５ａ）内を軸方向に摺動自在に進退するインナーワイヤ（５ｂ）と、インナーワイヤ（５ｂ）の一端に備えられ、上記弁体（３）の弁軸（１７）下方に配置されるロッド部（５ｃ）と、後述する操作スイッチ（２１）側にインナーワイヤ（５ｂ）を付勢する戻りスプリング（５ｄ）を備えてなり、遠隔操作式排水栓装置の施工完了時には、レリースワイヤ（５）のロッド部（５ｃ）が弁体の弁軸（１７）下端に当接し、インナーワイヤ（５ｂ）の進退に対応して軸部（１７）下端を押し上げ／下げするように配置される。
操作スイッチ（２１）は、上記レリースワイヤ（５）に接続され、上記レリースワイヤ（５）のインナーワイヤ（５ｂ）の進退を操作することで、排水口（１）の開閉操作を行うものであり、浴槽の開口周縁などに取り付けられるケーシング部（２２）と、レリースワイヤ（５）を接続し、インナーワイヤ（５ｂ）の進退動作を制御する、ケーシング部（２２）内に収納されるスラストロック部（２３）とから成る。
チューブ部材（４）は、レリースワイヤ（５）をケーシング部（２２）から排水エルボ（１８）に案内するガイドの役割を果たす、筒状の、軟質塩ビなど可撓性を備えた軟質樹脂からなる部材であって、その端部の一方は操作スイッチ（２１）のケーシング部（２２）に、他方は排水エルボ（１８）の接続部（２）に、排水が遠隔操作式排水栓装置外に漏れることがないよう水密的に接続される。
規制部材（９）は、図６に示したように、排水エルボ（１８）の接続部（２）内に備えられるゴムなどの比較的軟質な素材から成る部材であって、板状にしてその一部に八方向程度に切れ目（以後、この多方向に刻んだ切れ目の部分を「菊割部（１１）」と呼ぶ）にて構成された挿通孔（７）を備えて成る。
【００１７】
上記のように構成した遠隔操作式排水栓装置は、以下のようにして浴槽等に設けられた取着孔に取着される。
まず槽体（Ｂ）の底面に設けられた取着孔に排水栓（１４）の円筒部分を挿通し、更に排水エルボ（１８）の開口部（１９）に接続して、取着孔の周縁をフランジ部下面と開口部（１９）上面とで挟持させて排水栓（１４）及び排水エルボ（１８）を取着孔に取着固定する。
次に操作スイッチ（２１）のケーシング部（２２）を槽体（Ｂ）の開口周縁に取り付け、更にチューブ部材（４）の両端部に、操作スイッチ（２１）のケーシング部と排水エルボ（１８）の接続部（２）を、それぞれ水密的に接続する。
更に操作スイッチ（２１）のスラストロック部（２３）にレリースワイヤ（５）を接続してから、レリースワイヤ（５）のロッド部（５ｃ）をケーシング部（２２）とチューブ部材（４）内を挿通して、排水栓（１４）内にレリースワイヤ（５）のロッド部（５ｃ）を引き出す。
その後、規制部材（９）の挿通孔（７）である菊割部（１１）にレリースワイヤ（５）を挿通し、規制部材（６）を接続部（２）に取り付け、更に軸受部材（１５）にレリースワイヤ（５）のアウターチューブ（５ａ）端部を接続したうえで排水口（１）に収納し、弁体（３）の弁軸（１７）を軸受部材（１５）に収納することで、ロッド部（５ｃ）が弁軸（１７）下方位置に配置され、遠隔操作式排水栓装置の取り付けが完了する。
【００１８】
上記のように構成した遠隔操作式排水栓装置は、上記段落０００４に記載した従来例の遠隔操作式排水栓装置の操作方法と同様の操作を行うことで、排水口（１）の開口／閉口を自在に操作することができる。また、上記段落０００５に記載した従来例の遠隔操作式排水栓装置の修理手順において、規制部材（９）の取り付け／取り外しの手順を付加することで、従来の遠隔操作式排水栓装置と同様に、槽体（Ｂ）の表面からの作業のみで遠隔操作式排水栓装置の修理が可能である。
【００１９】
また上記第二実施例においては、排水エルボ（１８）の接続部（２）に規制部材（９）を配置しているため、排水は菊割部（１１）の切れ目や隙間などの箇所から少量しか流れない。このため、排水口（１）から排水エルボ（１８）側への排水はほとんどが排出口（２０）から下水側に排出されてチューブ部材（４）内には少量しか流入せず、レリースワイヤ（５）のアウターチューブが排水の温度の影響を受けて熱伸縮することはほとんど無く、アウターチューブ（５ｂ）が排水の温度の影響を受けて熱伸縮することも無いから、ストローク長さが変化することによる動作不良が生じない。他方、操作スイッチ（２１）から流入した排水は元々少量であるため、規制部材（９）によって排水の排出量が少量となっても、何ら問題なくチューブ部材（４）内を経由して排水部材である排水エルボ（１８）内に排出することができる。
【００２０】
次に本発明の第三実施例を、図面を参照しつつ説明する。
図７に図示した、本発明の第三実施例による遠隔操作式排水栓装置は、以下に記載した排水栓（１４）、弁体（３）、排出部材としての排水エルボ（１８）、レリースワイヤ（５）、操作部としての操作スイッチ（２１）、排水エルボ（１８）と操作スイッチ（２１）との間に配置されるチューブ部材（４）、その他の各部材より構成されて成る。
排水栓（１４）は、内部に排水口（１）を形成する略円筒形状であって、その上縁外周側にフランジ部を設けてなる。また排水口（１）内には、後述する弁体（３）の弁軸（１７）を収納すると共に、レリースワイヤ（５）のアウターチューブ（５ａ）端部を接続して、弁軸（１７）下端位置にロッド部（５ｃ）を配置させる軸受部材（１５）を着脱自在に収納してなる。
弁体（３）は、上記排水口（１）を開閉する弁部（１６）と、該弁部（１６）の中心より下方に向けて垂下された弁軸（１７）より成る。
排水エルボ（１８）は排水栓（１４）との接続を行う開口部（１９）と、排水管等に接続されて排水を下水側に排出する排出口（２０）と、後述するレリースワイヤ（５）を挿通するための接続部（２）より成る。
レリースワイヤ（５）は、図８に示したように、可撓性を備えた中空のアウターチューブ（５ａ）と、該アウターチューブ（５ａ）内を軸方向に摺動自在に進退するインナーワイヤ（５ｂ）と、インナーワイヤ（５ｂ）の一端に備えられ、上記弁体（３）の弁軸（１７）下方に配置されるロッド部（５ｃ）と、後述する操作スイッチ（２１）側にインナーワイヤ（５ｂ）を付勢する戻りスプリング（５ｄ）を備えてなり、遠隔操作式排水栓装置の施工完了時には、レリースワイヤ（５）のロッド部（５ｃ）が弁体の弁軸（１７）下端に当接し、インナーワイヤ（５ｂ）の進退に対応して軸部（１７）下端を押し上げ／下げするように配置される。
更にレリースワイヤ（５）には、熱伸縮防止機構として、可撓性を備えた中空の筒体であって、その両端部がアウターチューブ（５ａ）の両端よりも外側位置でレリースワイヤ（５）と水密的に接続したカバーチューブ（１２）を備えて成る。本第三実施例においては、アウターチューブ（５ａ）とカバーチューブ（１２）の間には通常の空気が満たされた状態に成っている。
操作スイッチ（２１）は、上記レリースワイヤ（５）に接続され、上記レリースワイヤ（５）のインナーワイヤ（５ｂ）の進退を操作することで、排水口（１）の開閉操作を行うものであり、浴槽の開口周縁などに取り付けられるケーシング部（２２）と、レリースワイヤ（５）を接続し、インナーワイヤ（５ｂ）の進退動作を制御する、ケーシング部（２２）内に収納されるスラストロック部（２３）とから成る。
チューブ部材（４）は、レリースワイヤ（５）をケーシング部（２２）から排水エルボ（１８）に案内するガイドの役割を果たす、筒状の、軟質塩ビなど可撓性を備えた軟質樹脂からなる部材であって、その端部の一方は操作スイッチ（２１）のケーシング部（２２）に、他方は排水エルボ（１８）の接続部（２）に、排水が遠隔操作式排水栓装置外に漏れることがないよう水密的に接続される。
【００２１】
上記のように構成した遠隔操作式排水栓装置は、段落０００３に記載した従来例の遠隔操作式排水栓装置の施工方法と同様にして施工を行うことができ、また上記段落０００４に記載した従来例の遠隔操作式排水栓装置の操作方法と同様の操作を行うことで排水口（１）の開口／閉口を自在に操作することができる。また、上記段落０００５に記載した従来例の遠隔操作式排水栓装置の修理手順と同様の手順によって、槽体の表面からの操作のみで遠隔操作式排水栓装置の修理が可能である。
【００２２】
上記第三実施例においては、レリースワイヤ（５）のアウターチューブ（５ａ）を、カバーチューブ（１２）が水密的に保護しているため、操作スイッチ（２１）また排水口（１）からチューブ部材（４）内に排水が流入しても、アウターチューブ（５ａ）が排水に直接触れることがない。このため、アウターチューブ（５ａ）が排水の温度の影響を受けて熱伸縮することも無いから、ストローク長さが変化することによる動作不良が生じない。
【００２３】
次に本発明の第四実施例を、図面を参照しつつ説明する。
図９に図示した、本発明の第四実施例による遠隔操作式排水栓装置は、以下に記載した排水栓（１４）、弁体（３）、排出部材としての排水エルボ（１８）、レリースワイヤ（５）、操作部としての操作スイッチ（２１）、排水エルボ（１８）と操作スイッチ（２１）との間に配置されるチューブ部材（４）、熱伸縮防止機構としての逆流防止弁部材（６）、その他の各部材より構成されて成る。
排水栓（１４）は、内部に排水口（１）を形成する略円筒形状であって、その上縁外周側にフランジ部を設けてなる。また排水口（１）内には、後述する弁体（３）の弁軸（１７）を収納すると共に、レリースワイヤ（５）のアウターチューブ（５ａ）端部を接続して、弁軸（１７）下端位置にロッド部（５ｃ）を配置させる軸受部材（１５）を着脱自在に収納してなる。
弁体（３）は、上記排水口（１）を開閉する弁部（１６）と、該弁部（１６）の中心より下方に向けて垂下された弁軸（１７）より成る。
排水エルボ（１８）は排水栓（１４）との接続を行う開口部（１９）と、排水管等に接続されて排水を下水側に排出する排出口（２０）と、後述するレリースワイヤ（５）を挿通するための接続部（２）より成る。
レリースワイヤ（５）は、図１０に示したように、可撓性を備えた中空のアウターチューブ（５ａ）と、該アウターチューブ（５ａ）内を軸方向に摺動自在に進退するインナーワイヤ（５ｂ）と、インナーワイヤ（５ｂ）の一端に備えられ、上記弁体（３）の弁軸（１７）下方に配置されるロッド部（５ｃ）と、後述する操作スイッチ（２１）側にインナーワイヤ（５ｂ）を付勢する戻りスプリング（５ｄ）を備えてなり、遠隔操作式排水栓装置の施工完了時には、レリースワイヤ（５）のロッド部（５ｃ）が弁体の弁軸（１７）下端に当接し、インナーワイヤ（５ｂ）の進退に対応して軸部（１７）下端を押し上げ／下げするように配置される。
更にレリースワイヤ（５）には、熱伸縮防止機構として、耐水性にして可撓性を備えた断熱材（１３）を、その両端部がアウターチューブ（５ａ）の両端よりも外側位置に配されるように、アウターチューブ（５ａ）の周囲に水密的に備えて成る。
操作スイッチ（２１）は、上記レリースワイヤ（５）に接続され、上記レリースワイヤ（５）のインナーワイヤ（５ｂ）の進退を操作することで、排水口（１）の開閉操作を行うものであり、浴槽の開口周縁などに取り付けられるケーシング部（２２）と、レリースワイヤ（５）を接続し、インナーワイヤ（５ｂ）の進退動作を制御する、ケーシング部（２２）内に収納されるスラストロック部（２３）とから成る。
チューブ部材（４）は、レリースワイヤ（５）をケーシング部（２２）から排水エルボ（１８）に案内するガイドの役割を果たす、筒状の、軟質塩ビなど可撓性を備えた軟質樹脂からなる部材であって、その端部の一方は操作スイッチ（２１）のケーシング部（２２）に、他方は排水エルボ（１８）の接続部（２）に、排水が遠隔操作式排水栓装置外に漏れることがないよう水密的に接続される。
【００２４】
上記のように構成した遠隔操作式排水栓装置は、段落０００３に記載した従来例の遠隔操作式排水栓装置の施工方法と同様にして施工を行うことができ、また上記段落０００４に記載した従来例の遠隔操作式排水栓装置の操作方法と同様の操作を行うことで排水口（１）の開口／閉口を自在に操作することができる。また、上記段落０００５に記載した従来例の遠隔操作式排水栓装置の修理手順と同様の手順によって、槽体の表面からの作業のみで遠隔操作式排水栓装置の修理が可能である。
【００２５】
上記第四実施例においては、レリースワイヤのアウターチューブを、断熱材（１３）が水密的に保護してなるため、操作スイッチ（２２）また排水口（１）からチューブ部材（４）内に排水が流入しても、アウターチューブ（５ａ）が排水に直接触れることがない。このため、アウターチューブ（５ａ）が排水の温度の影響を受けて熱伸縮することも無いから、ストローク長さが変化することによる動作不良が生じない。
【００２６】
本発明の実施例は上記のようであるが、本発明は上記実施例に限定される物ではなく、発明の要旨を変更しない範囲で自在に変更が可能である。
例えば上記第二実施例においては、規制部材（９）に、挿通孔（７）と兼用した通水部（１０）である菊割部（１１）を設けて構成しているが、図１１に示した実施例に採用された、図１２に示した規制部材（９）のように、規制部材（９）の挿通孔（７）と通水部（１０）とを別々に備えて構成しても良い。この実施例の場合、第二実施例の遠隔操作式排水栓装置と同様に、排水エルボ（１８）の排水時、通水部（１０）からチューブ部材（４）内に排水が流入するが、量はごく少量であるため、レリースワイヤ（５）のアウターチューブ（５ａ）が排水の温度の影響を受けて熱伸縮することはほとんど無い。他方、操作スイッチ（２１）から流入した排水は元々少量であるため、規制部材（９）によって排水の排出量が少量となっても、何ら問題なくチューブ部材（４）内の排水を排出することができる。
また、上記記載の第一実施例の遠隔操作式排水栓装置と同様の手順にて、施工／操作／修理が可能である。
【００２７】
また上記第三実施例においては、アウターチューブ（５ａ）とカバーチューブ（１２）の間に空気が充填しており、これが断熱剤として機能しているが、空気と同程度、あるいはそれ以上に熱伝導性の低い液体、気体、または可撓性を備えた固体などを断熱剤として充填してもよい。また液体などを充填する場合でも、通常の液体から、ゲル状またはゾル状などの粘性の高い固体または液体を用いても良い。
【００２８】
また上記第四実施例においては、アウターチューブ（５ａ）の周囲に円筒状の断熱材（１３）を配置して構成して成るが、これに換えて、レリースワイヤ（５ａ）の周囲に発泡性の皮膜を構成するスプレー塗料等を塗布して断熱材としても構わない。
【００２９】
本発明は上記のように構成したため、以下のような優れた効果を奏する。
１）請求項１乃至請求項４に記載の本発明の遠隔操作式排水栓装置においては、レリースワイヤのアウターチューブが、槽体からの排水によっても熱伸縮を生じない、熱伸縮防止機構を備えてなるため、遠隔操作式排水栓装置の使用の際に、ストローク長さの変化による弁体の動作不良を防ぐことができる。これは、例えばアウターチューブが樹脂材など、熱の影響を受けて膨張または伸縮しやすい材質の場合に、特に効果的に機能する。
【図面の簡単な説明】
【図１】  本発明の第一実施例を示す、一部を切り欠きした側面図である。
【図２】  本発明の第一実施例の部材構成を示す、一部を切り欠きした斜視図である。
【図３】  本発明の第一実施例に採用された逆流防止弁部材を示す、（ａ）正面図及び（ｂ）側面からの断面図である。
【図４】  本発明の第二実施例を示す、一部を切り欠きした側面図である。
【図５】  本発明の第二実施例の部材構成を示す、一部を切り欠きした斜視図である。
【図６】  本発明の第二実施例に採用された規制部材を示す、（ａ）正面図及び（ｂ）側面からの断面図である。
【図７】  本発明の第三実施例を示す、一部を切り欠きした側面図である。
【図８】  本発明の第三実施例に採用されたレリースワイヤを示す断面図である。
【図９】  本発明の第四実施例を示す、一部を切り欠きした側面図である。
【図１０】  本発明の第四実施例に採用されたレリースワイヤを示す断面図である。
【図１１】  挿通孔と通水部を別々とした規制部材を採用した、本発明の実施例を示す、一部を切り欠きした参考図である。
【図１２】  図１１の実施例に採用された規制部材を示す、（ａ）正面図及び（ｂ）側面からの断面図である。
【図１３】  従来の遠隔操作式排水栓装置を示す、一部を切り欠きした側面図である。
【図１４】  従来の遠隔操作式排水栓装置の部材構成を示す、一部を切り欠きした斜視図である。
【図１５】  従来の遠隔操作式排水栓装置を示す斜視図である。
【符号の説明】
１    排水口                        ２    接続部
３    弁体                          ４    チューブ部材
５    レリースワイヤ                ５ａ  アウターチューブ
５ｂ  インナーワイヤ                ５ｃ  ロッド部
５ｄ  戻りスプリング                ６    逆流防止弁部材
７    挿通孔                        ８    逆流防止弁
９    規制部材                      １０  通水部
１１  菊割部                        １２  カバーチューブ
１３  断熱材                        １４  排水栓
１５  軸受部材                      １６  弁部
１７  弁軸                          １８  排水エルボ
１９  開口部                        ２０  排出口
２１  操作スイッチ                  ２２  ケーシング部
２３  スラストロック部              Ｂ    槽体
【図１】
0004872054.tif 000002
【図２】
0004872054.tif 000003
【図３】
0004872054.tif 000004
【図４】
0004872054.tif 000005
【図５】
0004872054.tif 000006
【図６】
0004872054.tif 000007
【図７】
0004872054.tif 000008
【図８】
0004872054.tif 000009
【図９】
0004872054.tif 000010
【図１０】
0004872054.tif 000011
【図１１】
0004872054.tif 000012
【図１２】
0004872054.tif 000013
【図１３】
0004872054.tif 000014
【図１４】
0004872054.tif 000015
【図１５】
0004872054.tif 000016